(57)【要約】      （修正有）【課題】フロントシェルを開ける必要がなく、蓋さえ開ければ荷物の収納および取り出しが簡単になり、ポケットの内部空間は十分に確保される旅行かばんを提供する。【解決手段】旅行かばんはバックシェル２０、フロントシェル３０、ポケット４０および蓋５０を備える。フロントシェルは空洞部を有し、かつバックシェルに被さることでバックシェルとの間が収納空間２５になる。ポケット４０は収納空間内に配置され、開口周縁部４１がフロントシェルの空洞部の周縁部に位置する。ポケットは内部空間４３と、開口周縁部に囲まれた開口部４５とを有する。内部空間４３は開口部４５によって外部に繋がる。蓋５０はフロントシェルの空洞部の外側に開閉できるように配置される。【選択図】図３
0003213778.tif 000002
【実用新案登録請求の範囲】
【請求項１】
バックシェル、フロントシェル、ポケットおよび蓋を備え、
前記フロントシェルは、空洞部を有し、かつ前記バックシェルに被さることで前記バックシェルとの間が収納空間になり、
前記ポケットは、前記収納空間内に配置され、開口周縁部が前記フロントシェルの前記空洞部の周縁部に位置し、前記ポケットは内部空間と、前記開口周縁部に囲まれた開口部とを有し、前記内部空間は前記開口部によって外部に繋がり、
前記蓋は、前記フロントシェルの前記空洞部の外側に開閉できるように配置されることを特徴とする旅行かばん。
【請求項２】
さらに前記フロントシェルと前記バックシェルの間に第一ファスナーを備え、
前記収納空間は前記第一ファスナーによって開閉されることを特徴とする請求項１に記載の旅行かばん。
【請求項３】
前記ポケットの前記内部空間と前記収納空間との間は遮断されることを特徴とする請求項１に記載の旅行かばん。
【請求項４】
さらに前記蓋と前記フロントシェルとの間に第二ファスナーを備え、
前記ポケットの前記内部空間は前記第二ファスナーによって開閉されることを特徴とする請求項１に記載の旅行かばん。
【請求項５】
前記蓋は先頭部から底部までの距離が高さとなり、
前記ポケットは前記開口周縁部から前記ポケットの底部までの距離が深さとなり、
前記ポケットの前記深さは前記蓋の前記高さより大きいことを特徴とする請求項１に記載の旅行かばん。
【請求項６】
前記フロントシェルはさらに環状連結部を有し、前記環状連結部は前記フロントシェルの前記空洞部の周縁部に配置され、
前記ポケットは前記開口周縁部によって前記環状連結部に装着されることを特徴とする請求項１に記載の旅行かばん。
【請求項７】
前記フロントシェルはさらに複数の穿孔を有し、複数の前記穿孔は前記フロントシェルの前記空洞部の辺縁に配置され、
前記環状連結部は複数の柱状突起部を有し、複数の前記柱状突起部は複数の前記穿孔に差し込まれることを特徴とする請求項６に記載の旅行かばん。
【請求項８】
前記環状連結部の複数の前記柱状突起部はそれぞれボルトを有することを特徴とする請求項７に記載の旅行かばん。
【請求項９】
前記ポケットの前記開口周縁部はミシン縫いによって前記フロントシェルの前記環状連結部に固定されることを特徴とする請求項６に記載の旅行かばん。
【請求項１０】
さらに前記蓋と前記フロントシェルの前記環状連結部との間に第二ファスナーを備え、
前記ポケットの前記内部空間は前記第二ファスナーによって開閉されることことを特徴とする請求項６に記載の旅行かばん。
【考案の詳細な説明】
【技術分野】
【０００１】
本考案は旅行かばん、特に収納および取り出しに便利な旅行かばんに関するものである。
【背景技術】
【０００２】
一般の旅行かばんはバックシェル、フロントシェルおよびファスナーまたはロック金具から構成され、バックシェルおよびフロントシェルの間に形成された収納空間を有する。旅行かばんを使用する際、収納空間によってユーザーの荷物を収納し、ファスナーまたはロック金具によって旅行かばんを開閉する。ユーザーの全部の荷物は旅行かばんの収納空間に収納されるため、体積の比較的大きい荷物または携帯に不便な荷物、例えば雑誌、ノートパソコンなどを旅行かばんから取り出す際、旅行かばんを開けて収納空間中の荷物から探さなければならない。探して取り出すには時間が掛かるだけでなく整理できた荷物が乱れてしまうため、使用が相当に不便である。
【考案の概要】
【考案が解決しようとする課題】
【０００３】
本考案は、収納および取り出しに便利な旅行かばんを提供することを主な目的とする。
【課題を解決するための手段】
【０００４】
上述した課題を解決するため、旅行かばんはバックシェル、フロントシェル、ポケットおよび蓋を備える。フロントシェルは空洞部を有し、かつバックシェルに被さることでバックシェルとの間が収納空間になる。ポケットは収納空間内に配置され、開口周縁部がフロントシェルの空洞部の周縁部に位置する。ポケットは内部空間と、開口周縁部に囲まれた開口部とを有する。内部空間は開口部によって外部に繋がる。蓋はフロントシェルの空洞部の外側に開閉できるように配置される。
【０００５】
上述した技術特徴により、わざわざフロントシェルを開ける必要なく、蓋さえ開ければ荷物の収納および取り出しが簡単になる。旅行かばんのポケットは収納空間に入り込み、収容できる内部空間が十分に確保されるため、体積の比較的大きい荷物を収納できる。
【図面の簡単な説明】
【０００６】
【図１】本考案の一実施形態による旅行かばんを示す斜視図である。
【図２】本考案の一実施形態による旅行かばんを示す分解斜視図である。
【図３】本考案の一実施形態による旅行かばんを示す側面図である。
【図４】図１の４−４線に沿った断面図である。
【図５】本考案の一実施形態による旅行かばんが使用される状態を示す側面図である。
【考案を実施するための形態】
【０００７】
以下、本考案による旅行かばんを図面に基づいて説明する。
（一実施形態）
図１および図２に示すように、本考案の一実施形態による旅行かばん１０はバックシェル２０、フロントシェル３０、ポケット４０、蓋５０、バックシェル２０の底部に装着された二つの第一キャスター６０、フロントシェル３０の底部に装着された二つの第二キャスター６５、グリップ７０およびプルハンドル８０を備える。
【０００８】
フロントシェル３０は、バックシェル２０に開閉できるように装着されることでバックシェル２０との間が収納空間２５になる。フロントシェル３０は空洞部３１、環状連結部３３および複数の穿孔３７を有する。環状連結部３３は空洞部３１の周りに配置され、プラスチック射出成形によって製作され、複数の柱状突起部３３１を有する。複数の穿孔３７は空洞部３１の辺縁に形成される。柱状突起部３３１は穿孔３７に差し込まれ、ボルト３３３を有する。環状連結部３３は柱状突起部３３１のボルト３３３によって空洞部３１の周縁部に締め付けられる。図４に示すように、旅行かばん１０はさらにフロントシェル３０とバックシェル２０の間に第一ファスナー３５を有する。第一ファスナー３５はフロントシェル３０とバックシェル２０とを結合させ、収納空間２５を開閉することができる。別の実施形態において、ボルト３３３が省略される場合には、柱状突起部３３１は穿孔３７に差し込まれ、嵌合方式によって空洞部３１の周縁部に固定される。柱状突起部３３１および穿孔３７が省略される場合には、環状連結部３３は溶接または粘着方式によって空洞部３１の周縁部に装着される。上述したとおり、本考案において、空洞部３１の周縁部に環状連結部３３を装着する方法は特に限定されず、状況に応じて変わってもよい。
【０００９】
図２から図４に示すように、ポケット４０は収納空間２５内に配置され、開口周縁部４１がミシン縫いによってフロントシェル３０の環状連結部３３に固定される。ポケット４０は内部空間４３と、開口周縁部４１に囲まれた開口部４５とを有する。内部空間４３は開口部４５によって外部に繋がり、収納空間２５との間が遮断される。ポケット４０は上方の開口周縁部４１からポケット４０の底部４７までの距離が深さｄとなる。本実施形態はポケット４０の開口周縁部４１をミシン縫いによって環状連結部３３に固定する方式を採用するのに対し、別の実施形態は上述した方式に限らない。
【００１０】
蓋５０は、フロントシェル３０の空洞部３１の外側に開閉できるように配置される。本実施形態において、旅行かばん１０はさらに蓋５０とフロントシェル３０の環状連結部３３との間に第二ファスナー５５を有する。第二ファスナー５５は蓋５０および環状連結部３３を結合させ、ポケット４０の内部空間４３を開閉することができる。図３に示すように、蓋５０は先頭部から底部までの距離が高さｈとなる。ポケット４０の深さｄは蓋５０の高さｈより大きい。本実施形態は環状連結部３３によってフロントシェル３０に蓋５０を装着する方式を採用するのに対し、別の実施形態は環状連結部３３を使用せず、別の構造によってフロントシェル３０に蓋５０を装着する方式を採用する。
【００１１】
図1に示すように、旅行かばん１０を持ち上げる際の便利をはかるため、グリップ７０は旅行かばん１０の上側かつバックシェル２０の上に位置する。本実施形態において、グリップ７０は上述に限らず、省略されてもよい。別の実施形態において、グリップ７０は数が一つ以上であり、配置位置が状況によって決まってもよい。
【００１２】
旅行かばん１０を引いて移動させる際の便利をはかるため、プルハンドル８０は、バックシェル２０の上に伸縮できるように配置されるが、これに限らず、別の実施形態において省略されてもよい。
【００１３】
図５に示すように、第二ファスナー５５を降ろして蓋５０を開ければポケット４０に荷物を入れたり、ポケット４０から荷物を取り出したりすることができる。ポケット４０はバックシェル２０の収納空間２５に据えられ、深さｄが蓋５０の高さｈより大きいため、ポケット４０の収容できる空間は十分に確保され、蓋５０の外観によって予測した内部空間より大きい。従って、蓋５０さえ開ければ、頻繁に使用される荷物、ノートパソコン、タブレット、書籍または雑誌などをポケット４０に収納したり、ポケット４０から取り出したりすることができる。つまり、わざわざ第一ファスナー３５を降ろしてフロントシェル３０を開けて整理できた荷物から物を探す必要がない。まとめてみると、場所を取る荷物や頻繁に取り出す必要がない荷物、例えば服または洗顔・ボディ用品などを旅行かばん１０の収納空間２５に入れ、体積の比較的小さい荷物やよく使用される荷物、例えばタブレット、書籍などをポケット４０に入れれば、収納および取り出しに便利なだけでなく、荷物の収納および取り出しをする際のプライバシーを守ることができる。
【００１４】
本考案は考案精神に基づいて旅行かばん１０の構造を変えることができる。例えば、環状連結部３３が省略される場合、ポケット４０の開口周縁部４１はフロントシェル３０の空洞部３１の周縁部に位置する。第二ファスナー５５は蓋５０およびフロントシェル３０の間に装着されることで蓋５０およびフロントシェル３０を結合させる。本考案は第一ファスナー３５および第二ファスナー５５を金属フレームとロック金具の組み合わせまたは別の連結部材に取り換えることも、ポケット４０の内部空間４３と収納空間２５とを繋げることも、ポケット４０の開口周縁部４１に第三ファスナー（図中未表示）を増設することもできる。ポケット４０の開口周縁部４１に第三ファスナーを増設すれば、ポケット４０に荷物を入れたりポケット４０から取り出したりする際に第二ファスナー５５および第三ファスナーを降ろす必要がある。本考案はポケット４０の深さｄを蓋５０の高さｈより小さくするか、両者を一致させることができる。ポケット４０の深さｄが大きければ大きいほど収容できる荷物を増加させるか、収容できる荷物の体積を増大させることができる。
【００１５】
以上、本考案は、上記実施形態になんら限定されるものではなく、考案の趣旨を逸脱しない範囲において種々の形態で実施可能である。
【符号の説明】
【００１６】
１０：旅行かばん、  
２０：バックシェル、  
２５：収納空間、  
３０：フロントシェル、  
３１：空洞部、  
３３：環状連結部、  
３３１：柱状突起部、  
３３３：ボルト、  
３５：第一ファスナー、  
３７：穿孔、  
４０：ポケット、  
４１：開口周縁部、  
４３：内部空間、  
４５：開口部、  
４７：底部、  
５０：蓋、  
５５：第二ファスナー、  
６０：第一キャスター、  
６５：第二キャスター、  
７０：グリップ、  
８０：プルハンドル、  
ｄ：深さ、  
ｈ：高さ
【図１】
0003213778.tif 000003
【図２】
0003213778.tif 000004
【図３】
0003213778.tif 000005
【図４】
0003213778.tif 000006
【図５】
0003213778.tif 000007